(57)【要約】【課題】仮想オブジェクトＶが表示される表示システム１００を用いてマーケティングを行うこと。【解決手段】端末４００の表示部４６０に表示されている実空間上に、建築物の仮想オブジェクトを重畳表示させるためのアプリケーションソフト４４０が、端末４００にインストールされる場合又は起動される場合に入力される個人情報を記憶する記憶部７２０と、アプリケーションソフト４４０が起動された場所を特定する特定部７４０と、を含む顧客把握システムを提供する。【選択図】図４
2018195302.tif 000002
【特許請求の範囲】
【請求項１】
撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握システムであって、
前記顧客把握システムのサーバは、
前記端末の前記表示部に表示されている実空間上に、建築物の仮想オブジェクトを重畳表示させるためのアプリケーションソフトが、前記端末にインストールされる場合又は起動される場合に入力される個人情報を記憶する記憶部と、
前記アプリケーションソフトが起動された場所を特定する特定部と、
と、を含む顧客把握システム。
【請求項２】
前記特定部によって特定された場所に関連する広告が、前記端末の利用者に提供される情報提供部を含む請求項１記載の顧客把握システム
【請求項３】
前記記憶部に記憶されている個人情報が、前記アプリケーションがインストールされた前記端末の利用者の住まい、家族構成、住宅新築の予算又は建物の嗜好によって仕分けされる仕分け部を含む請求項１又は２記載の顧客把握システム。
【請求項４】
撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握システムであって、
前記顧客把握システムのサーバは、
前記端末の前記表示部に表示されている実空間上に、建築物の仮想オブジェクトを重畳表示させるためのアプリケーションソフトが、前記端末にインストールされる場合又は起動される場合に入力される個人情報を記憶する記憶部と、
前記アプリケーションソフトは、二次元バーコードが読み込まれることによりインストールされ、前記二次元バーコードによって前記アプリケーションソフトがインストールされた場所が特定される特定部と、を含む顧客把握システム。
【請求項５】
前記特定部によって特定された場所に関連する広告が、前記端末の利用者に提供される情報提供部を含む請求項４記載の顧客把握システム。
【請求項６】
前記記憶部に記憶されている個人情報が、前記アプリケーションがインストールされた前記端末の利用者の住まい、家族構成、住宅新築の予算又は建物の嗜好によって仕分けされる仕分け部を含む請求項４記載の顧客把握システム。
【請求項７】
撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握方法であって、
前記端末の前記表示部に表示されている実空間上に、建築物の仮想オブジェクトを重畳表示させるためのアプリケーションソフトが、前記端末にインストールさせるインストール工程と、
前記インストール工程によって、インストールされたアプリケーションソフトを起動させるために、前記端末の利用者に対して個人情報を入力させる個人情報入力工程と、
前記アプリケーションソフトが起動された場所を特定する特定工程と、を含む顧客把握方法。
【請求項８】
前記特定工程によって特定された場所に関連する広告が、前記端末の利用者に提供される情報提供工程を含む請求項７記載の顧客把握方法。
【請求項９】
撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握方法であって、
前記端末の前記表示部に表示されている実空間上に、建築物の仮想オブジェクトを重畳表示させるためのアプリケーションソフトが、前記端末にインストールさせるインストール工程と、
前記インストール工程によって、インストールされたアプリケーションソフトを起動させるために、前記端末の利用者に対して個人情報を入力させる個人情報入力工程と、
前記アプリケーションソフトは、二次元バーコードが読み込まれることによりインストールされ、前記二次元バーコードによって前記アプリケーションソフトがインストールされた場所が特定される特定工程と、を含む顧客把握方法。
【請求項１０】
前記特定工程によって特定された場所に関連する広告が、前記端末の利用者に提供される情報提供工程を含む請求項９記載の顧客把握方法。
【請求項１１】
撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握システムのプログラムであって、
前記顧客把握システムのプログラムは、
前記端末の前記表示部に表示されている実空間上に、建築物の仮想オブジェクトを重畳表示させるためのアプリケーションソフトが、前記端末にインストールされる場合又は起動される場合に入力される個人情報を記憶する記憶処理と、
前記アプリケーションソフトが起動された場所を特定する特定処理と、を含む顧客把握システムのプログラム。
【請求項１２】
前記特定処理によって特定された場所に関連する広告が、前記端末の利用者に提供される情報提供処理を含む請求項１１記載の顧客把握システムのプログラム。
【発明の詳細な説明】
【技術分野】
【０００１】
本発明は、仮想オブジェクトの表示システムを用いた顧客把握システム、顧客把握システムプログラム及び顧客把握方法に関する。
【背景技術】
【０００２】
近年、表示画面に表示された実空間に対して、仮想オブジェクトを表示する拡張現実（ＡＲ：Ａｕｇｍｅｎｔｅｄ Ｒｅａｌｉｔｙ）に関する技術が注目されている。
【０００３】
仮想オブジェクトは、一般的には、スマートフォン等の携帯電話、タブレット等の通信端末、ヘッドマウントディスプレイ、眼鏡型端末等のウェアラブル端末等の表示画面に表示される。
【０００４】
特許文献１に係る発明は、表示装置は、撮像した画像に情報を付加して表示する表示装置であり、対象空間の画像を撮像する撮像部と、撮像した画像から、対象空間内の、例えば、建築物等の構造物の立体形状を判別する判別部と、判別された立体形状に基づいて、構造物の特定の箇所に対応する画像中の領域に情報を付加して表示する表示処理部とを備えるものである。
【０００５】
特許文献２に係る発明は、建物の建築予定場所を含む風景を撮影するための撮影手段と、建築を検討中の建物の三次元コンピュータグラフィックスからなる建物画像を撮影手段が撮影した風景画像に合成する合成処理を行う情報処理手段と、情報処理手段が合成した合成画像を表示するための表示手段とを備えた拡張現実型建物シミュレーション装置である。
【先行技術文献】
【特許文献】
【０００６】
【特許文献１】特開２０１３−２１４９１３号公報
【特許文献２】特開２０１４−１１５９５７号公報
【発明の概要】
【発明が解決しようとする課題】
【０００７】
特許文献１に係る発明は、建築物等の構造物の立体形状を判別し、表示処理部によって画像中の領域に仮想オブジェクトの情報を表示させることができる。
【０００８】
しかしながら、表示画面に仮想オブジェクトを表示させるのみであり、表示画面に表示される構造物と共に仮想オブジェクトの向き・大きさは変化しない。
【０００９】
また、特許文献２に係る発明は、具体的にどのように仮想オブジェクトを風景画像に表示させるか不明である。
【００１０】
また、特許文献１及び特許文献２には、マーケティングに関する記載はない。
【００１１】
本発明の目的は、端末に表示される構造物等と仮想オブジェクトの相対位置を略同一として、端末に表示される仮想オブジェクトの表示を変化させることである。
【００１２】
本発明の他の目的は、仮想オブジェクトが表示される表示システムを用いて顧客を把握することである。
【００１３】
本発明の他の目的は、仮想オブジェクトが表示される表示システムを用いてマーケティングを行うことである。
【００１４】
本発明の他の目的は、仮想オブジェクトが表示される表示システムを用いて効率よく広告を行うことである。
【課題を解決するための手段】
【００１５】
本発明の第１の局面に係る顧客把握システムは、撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握システムであって、
前記顧客把握システムのサーバは、
前記端末の前記表示部に表示されている実空間上に、建築物の仮想オブジェクトを重畳表示させるためのアプリケーションソフトが、前記端末にインストールされる場合又は起動される場合に入力される個人情報を記憶する記憶部と、
前記アプリケーションソフトが起動された場所を特定する特定部と、を含む顧客把握システムである。
【００１６】
このような顧客把握システムの場合、端末の利用者は、仮想オブジェクトを端末に表示される実空間上に表示させて、家等の建築物を所定の土地に建てた様子を見ることができる。
【００１７】
建築物の仮想オブジェクトを端末に表示させる端末の利用者は、実際に家等の建築物を建てる可能性が高く、顧客把握システムの使用者の顧客となる可能性がある。
【００１８】
顧客把握システムの使用者は、顧客の地域性や顧客層、性別、当該システムへのアクセスの回数等、顧客情報を把握することができる。
【００１９】
そのため、顧客把握システムの使用者は、当該顧客情報に基づいて適切なマーケティングを行うことができる。
【００２０】
端末の利用者が仮想オブジェクトを表示させるためのアプリケーションソフトをダウンロード（インストール）する場合、又は、当該アプリケーションソフトを起動する場合に自己の個人情報を入力する。
【００２１】
個人情報の内容は特に限定されず、ＳＮＳのアカウントやＷｅｂサイトのアカウントであってもよい。
【００２２】
特定部は、端末の利用者によって登録された個人情報、アプリケーションソフトが起動されたときのログ等によって、端末の利用者の住所等の場所を特定する。
【００２３】
したがって、本発明に係る顧客把握システムの使用者は、顧客又は顧客となり得る人を把握することができる。
【００２４】
そのため、本発明に係る顧客把握システムの使用者は、顧客のニーズを知ることができ、またこれに付随して顧客管理も行うことができる。
【００２５】
本発明の第２の局面に係る顧客把握システムは、第１の局面に係る顧客把握システムであって、前記特定部によって特定された場所に関連する広告が、前記端末の利用者に提供される情報提供部を含む顧客把握システムである。
【００２６】
顧客把握システムの使用者は、どの地域に顧客となり得る端末の利用者がいるか把握することができ、端末の利用者のニーズにあった広告を端末の利用者に提供することができる。
【００２７】
本発明の第３の局面に係る顧客把握システムは、第１の局面又は第２の局面に係る顧客把握システムであって、前記記憶部に記憶されている個人情報が、前記アプリケーションがインストールされた前記端末の利用者の住まい、家族構成、住宅新築の予算又は建物の嗜好によって仕分けされる仕分け部を含む顧客把握システムである。
【００２８】
端末の利用者によって入力された個人情報を基に仕分け部が仕分けをする。これにより、各々のキーワードで仕分けがされ、顧客把握システムの使用者が、端末の利用者のニーズに合わせた広告を提供することができる。
【００２９】
なお、広告方法は、チラシの配布、ダイレクトメール等どのようなものであってもよい。
【００３０】
本発明の第４の局面に係る顧客把握システムは、撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握システムであって、
前記顧客把握システムのサーバは、
前記端末の前記表示部に表示されている実空間上に、建築物の仮想オブジェクトを重畳表示させるためのアプリケーションソフトが、前記端末にインストールされる場合又は起動される場合に入力される個人情報を記憶する記憶部と、
前記アプリケーションソフトは、二次元バーコードが読み込まれることによりインストールされ、前記二次元バーコードによって前記アプリケーションソフトがインストールされた場所が特定される特定部と、を含む顧客把握システムである。
【００３１】
顧客把握システムの使用者は、チラシや看板に二次元バーコードを記載し、地域や場所ごとに異なる二次元バーコードとすることにより、アプリケーションソフトがダウンロード（インストール）された場所がわかる。
【００３２】
本発明の第５の局面に係る顧客把握システムは、第４の局面に係る顧客把握システムであって、前記特定部によって特定された場所に関連する広告が、前記端末の利用者に提供される情報提供部を含む顧客把握システムである。
【００３３】
特定部はアプリケーションソフトがダウンロードされた場所を特定し、顧客把握システムの使用者は、端末の利用者のニーズにあった広告を提供する。
【００３４】
本発明の第６の局面に係る顧客把握システムは、第４の局面又は第５の局面に係る顧客把握システムであって、前記記憶部に記憶されている個人情報が、前記アプリケーションがインストールされた前記端末の利用者の住まい、家族構成、住宅新築の予算又は建物の嗜好によって仕分けされる仕分け部を含む顧客把握システムである。
【００３５】
端末の利用者によって入力された個人情報を基に仕分け部が仕分けをする。これにより、各々のキーワードで仕分けがされ、顧客把握システムの使用者が、端末の利用者のニーズに合わせた広告を提供することができる。
【００３６】
本発明の第７の局面に係る顧客把握方法は、撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握方法であって、
前記端末の前記表示部に表示されている実空間上に、建築物の仮想オブジェクトを重畳表示させるためのアプリケーションソフトが、前記端末にインストールさせるインストール工程と、
前記インストール工程によって、インストールされたアプリケーションソフトを起動させるために、前記端末の利用者に対して個人情報を入力させる個人情報入力工程と、
前記アプリケーションソフトが起動された場所を特定する特定工程と、を含む顧客把握方法である。
【００３７】
端末の利用者が仮想オブジェクトを端末に表示される実空間上に重畳表示させるアプリケーションソフトをダウンロードすることにより、個人情報を入力したりＳＮＳのアカウントを入力するため、顧客把握システムの使用者は、端末の利用者の個人情報やログによって、アプリケーションソフトが起動された場所を特定することができる。
【００３８】
本発明の第８の局面に係る顧客把握方法は、第７の局面に係る顧客把握方法であって、前記特定工程によって特定された場所に関連する広告が、前記端末の利用者に提供される情報提供工程を含む顧客把握方法である。
【００３９】
顧客把握システムの使用者は、当該アプリケーションソフトをダウンロードした又は起動させた端末の利用者を把握することができ、端末の利用者のニーズにあった広告を提供することができる。
【００４０】
本発明の第９の局面に係る顧客把握方法は、撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握方法であって、
前記端末の前記表示部に表示されている実空間上に、建築物の仮想オブジェクトを重畳表示させるためのアプリケーションソフトが、前記端末にインストールさせるインストール工程と、
前記インストール工程によって、インストールされたアプリケーションソフトを起動させるために、前記端末の利用者に対して個人情報を入力させる個人情報入力工程と、
前記アプリケーションソフトは、二次元バーコードが読み込まれることによりインストールされ、前記二次元バーコードによって前記アプリケーションソフトがインストールされた場所が特定される特定工程と、を含む顧客把握方法である。
【００４１】
二次元バーコードを地域や場所ごとに変更することにより、端末の利用者の場所を特定することができ、顧客把握システムの使用者は、どの地域や場所に家を新築したい人が多いか把握することができる。
【００４２】
本発明の第１０の局面に係る顧客把握方法は、第９の局面に係る顧客把握方法であって、前記特定工程によって特定された場所に関連する広告が、前記端末の利用者に提供される情報提供工程を含む顧客把握方法である。
【００４３】
顧客把握システムの使用者は、端末の利用者のニーズに合った広告を提供することができる。
【００４４】
本発明の第１１の局面に係る顧客把握システムのプログラムは、撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握システムのプログラムであって、
前記顧客把握システムのプログラムは、
前記端末の前記表示部に表示されている実空間上に、建築物の仮想オブジェクトを重畳表示させるためのアプリケーションソフトが、前記端末にインストールされる場合又は起動される場合に入力される個人情報を記憶する記憶処理と、
前記アプリケーションソフトが起動された場所を特定する特定処理と、を含む顧客把握システムのプログラムである。
【００４５】
このような顧客把握システムのプログラムであっても第１の局面に係る顧客把握システムと同様の効果を奏する。
【００４６】
本発明の第１２の局面に係る顧客把握システムのプログラムは、第１１の局面に係る顧客把握システムのプログラムであって、前記特定処理によって特定された場所に関連する広告が、前記端末の利用者に提供される情報提供処理を含む顧客把握システムのプログラムである。
【００４７】
このような顧客把握システムのプログラムであっても第２の局面に係る顧客把握システムと同様の効果を奏する。
【００４８】
本発明の第１３の局面に係る顧客把握システムのプログラムは、第１１の局面又は第１２の局面に係る顧客把握システムのプログラムであって、前記記憶処理に記憶されている個人情報が、前記アプリケーションがインストールされた前記端末の利用者の住まい、家族構成、住宅新築の予算又は建物の嗜好によって仕分けされる仕分け処理を含む顧客把握システムの方法である。
【００４９】
このような顧客把握システムのプログラムであっても第３の局面に係る顧客把握システムと同様の効果を奏する。
【００５０】
本発明の第１４の局面に係る顧客把握システムのプログラムは、撮像部を備える端末で実空間の目標物を撮像することにより、前記端末の表示部に表示される前記目標物に対して仮想オブジェクトが重畳表示され、前記端末に表示される実空間上に前記仮想オブジェクトが配置されているように、前記端末の利用者に視認させる前記端末を利用する顧客把握システムのプログラムであって、
前記顧客把握システムのプログラムは、
前記端末の前記表示部に表示されている実空間上に、建築物の仮想オブジェクトを重畳表示させるためのアプリケーションソフトが、前記端末にインストールされる場合又は起動される場合に入力される個人情報を記憶する記憶処理と、
前記アプリケーションソフトは、二次元バーコードが読み込まれることによりインストールされ、前記二次元バーコードによって前記アプリケーションソフトがインストールされた場所が特定される特定処理と、を含む顧客把握システムのプログラムである。
【００５１】
このような顧客把握システムのプログラムであっても、第４の局面に係る顧客把握システムと同様の効果を奏する。
【００５２】
本発明の第１５の局面に係る顧客把握システムのプログラムは、第１４の局面に係る顧客把握システムのプログラムであって、前記特定処理によって特定された場所に関連する広告が、前記端末の利用者に提供される情報提供処理を含む顧客把握システムのプログラムである。
【００５３】
このような顧客把握システムのプログラムであっても、第５の局面に係る顧客把握システムと同様の効果を奏する。
【００５４】
本発明に係る表示システムの端末は、撮像部を備える端末で目標物を撮像することにより、前記端末の表示部に表示される前記目標物に対して、仮想オブジェクトを重畳表示する表示システムの端末であって、
前記端末は、
前記目標物の位置を決定し、前記仮想オブジェクトを前記表示部に重畳表示させる表示処理部を含み、
前記表示処理部は、前記目標物と前記仮想オブジェクトとの相対位置を略同一に表示させるものである。
【００５５】
このようなものであれば、例えば、タブレット等の端末の撮像部で目標物を撮像する位置が変われば、目標物に合わせて仮想オブジェクトの表示も変化する。
【００５６】
したがって、端末が目標物に近づけば、仮想オブジェクトの表示は、他に表示されているものと同様に大きくなる。また、端末が目標物から離れれば、仮想オブジェクトの表示は、他に表示されているものと同様に小さくなる。
【００５７】
「仮想オブジェクト」とは、ＡＲ、ＶＲ（Ｖｉｒｔｕａｌ  Ｒｅａｌｉｔｙ）又はＭＲ（Ｍｉｘｅｄ  Ｒｅａｌｉｔｙ）に用いられる仮想物のことである。仮想オブジェクトは２次元画像、３次元画像いずれであってもよいが、３次元画像が好ましい。
【００５８】
仮想オブジェクトが３次元画像であれば、タブレット等の端末の利用者は、様々な角度から仮想オブジェクトを見ることができる。
【００５９】
仮想オブジェクトの例としては、家、ビル、マンション等の建築物、看板、車、家具、ピアノ、植木、植栽、標識等が挙げられる。
【００６０】
例えば、目標物が土地で仮想オブジェクトが建築物（仮想建築物）の場合、仮想建築物が実際にその土地に建っているかのように表示部に表示される。
【００６１】
したがって、家を建てようとしている人は、仮想建築物を表示部であるディスプレイで見ることで、どのような状態になるかイメージし易くなる。
【００６２】
また、タブレット等の端末の利用者は、仮想建築物から離れれば、仮想建築物が小さく表示され、仮想建築物に近づけば、仮想建築物が大きく表示される。
【００６３】
また、タブレット等の端末の利用者は、仮想建築物の側面や後面を見たりすることもできる。つまり、タブレット等の端末の利用者は、仮想建築物が実際にその土地に建っているかのように表示部のディスプレイで見ることができる。
【００６４】
仮想オブジェクトが看板（仮想看板）の場合、例えば店舗の看板がどのような状態になるか、看板を設置しようとしている人は、仮想看板をタブレット等の端末のディスプレイでみることで、イメージがし易くなる。つまり、看板のデザインと店舗等の愛称、看板の設置場所等の検討がし易くなる。
【００６５】
仮想オブジェクトが家具（仮想家具）の場合、家具を買おうとしている人は、仮想家具を表示部であるディスプレイでみることで、家具と部屋の愛称、設置場所等、どのような状態になるかイメージがし易くなる。
【００６６】
この場合、タブレット等の端末の利用者は、様々な角度から仮想家具をディスプレイで見ることができ、購入意欲が湧き易い。
【００６７】
前記表示処理部が、前記目標物に対して、前記表示部に表示される仮想上のターゲットエリアが合わせられることにより、前記目標物の位置を決定する位置決定部と、
前記位置決定部によって決定された位置に対して、前記仮想オブジェクトを重畳表示する重畳表示部と、を含むものが好ましい。このようなものであれば、現実の目標物にマーカを設けなくてもよい。なお、目標物の形状とターゲットエリアの形状は同一でなくてもよい。
【００６８】
前記端末が前記目標物に近づく場合、前記表示部に重畳表示される前記仮想オブジェクトが前記目標物と共に大きく表示され、
前記端末が前記目標物から離れる場合、前記表示部に重畳表示される前記仮想オブジェクトが前記目標物と共に小さく表示されるものが好ましい。
【００６９】
このようなものであれば、例えば、目標物が土地で仮想オブジェクトが建築物（仮想建築物）の場合、仮想建築物が実際にその土地に建っているかのように表示部に表示される。
【００７０】
したがって、家を建てようとしている人は、仮想建築物を表示部であるディスプレイで見ることで、どのような状態になるかイメージし易くなる。
【００７１】
また、例えば、看板を設置しようとしている人は、仮想看板を表示部であるディスプレイで見ることで、どのような状態になるかイメージし易くなる。
【００７２】
前記仮想オブジェクトが建築物又は看板であってもよい。このようなものであれば、家を建てようとしている人は、仮想建築物を表示部であるディスプレイで見ることで、どのような状態になるかイメージし易くなる。
【００７３】
また、看板を設置しようとしている人は、仮想看板を表示部であるディスプレイで見ることで、どのような状態になるかイメージし易くなる。
【００７４】
本発明に係る表示システムのサーバは、撮像部を備える端末で目標物を撮像することにより、前記端末の表示部に表示される前記目標物に対して、仮想オブジェクトを重畳表示する表示システムのサーバであって、
前記サーバは、
前記目標物の位置を決定し、前記仮想オブジェクトを重畳表示させる表示処理部を含み、
前記表示処理部は、前記目標物と前記仮想オブジェクトとの相対位置を略同一に表示させるものである。
【００７５】
上述したものは、表示処理部が端末に含まれるものであるが、表示処理部はサーバに含まれるものであってもよい。このようなものであっても上述した表示処理部が端末に含まれる場合と同様の効果を奏する。
【００７６】
本発明に係る表示方法は、撮像部を備える端末で目標物が撮像されることにより、前記端末の表示部に表示される前記目標物に対して、仮想オブジェクトを重畳表示する表示方法であって、
前記端末で前記目標物を撮像する撮像工程と、
前記撮像工程により前記表示部に表示される前記目標物にターゲットエリアが合わせられて、前記目標物の位置を決定する位置決定工程と、
前記位置決定工程により前記目標物に合わせられたターゲットエリア上に前記仮想オブジェクトを前記表示部に重畳表示する重畳表示工程と、を含み、
前記位置決定工程と前記重畳表示工程により、前記目標物と前記仮想オブジェクトとの相対位置を略同一に表示させる方法である。このような方法であれば、上記と同様の効果を奏する。
【００７７】
本発明に係る表示システムのプログラムは、撮像部を備える端末で目標物が撮像されることにより、前記端末の表示部に表示される前記目標物に対して、仮想オブジェクトを重畳表示する表示システムのプログラムであって、
前記プログラムは、
前記目標物の位置が決定され、前記仮想オブジェクトを前記表示部に表示させる表示処理を含み、
前記表示処理は、前記目標物と前記仮想オブジェクトとの相対位置を略同一に表示させるプログラムである。このようなプログラムであれば、上記と同様の効果を奏する。
【図面の簡単な説明】
【００７８】
【図１】本発明に係る一実施形態における表示システムの概念図。
【図２】本発明に係る一実施形態における表示システムの第２端末。
【図３】本発明に係る一実施形態における表示システムの概念図。
【図４】本発明に係る一実施形態における表示システムの第２端末。
【図５】本発明に係る一実施形態における表示システムの概念図。
【図６】本発明に係る一実施形態における表示システムの概念図。
【図７】本発明に係る一実施形態における表示システムの第２端末。
【図８】本発明に係る一実施形態における表示システムのフローチャート。
【図９】本発明に係る一実施形態における顧客把握システムの概念図。
【図１０】本発明に係る一実施形態における顧客把握システムのフローチャート。
【図１１】本発明に係る一実施形態における顧客把握システムのフローチャート。
【発明を実施するための形態】
【００７９】
以下、本発明に係る表示システム１００の実施形態に関して図面を参照しながら説明する。
【００８０】
＜第１実施形態＞
図１に示すように、本実施形態に係る表示システム１００は、サーバである第１クラウドサーバ２００と、
第１クラウドサーバ２００にアクセスすることが可能な端末である第１端末３００と、
第１クラウドサーバ２００にアクセスすることが可能な端末である第２端末４００と、を含む。
【００８１】
第１クラウドサーバ２００は、クラウド上に構築されたサーバであり、インターネットを通じてサーバ機能を利用することができるものである。なお、本実施形態では、サーバとして第１クラウドサーバ２００を用いているが、クラウドサーバ以外のサーバであってもよい。
【００８２】
第１クラウドサーバ２００は、第１端末３００及び第２端末４００がインターネットで接続可能な通信部２１０と、
仮想オブジェクトＶを第１クラウドサーバ２００内に記憶させる記憶部２２０と、を含む。
【００８３】
通信部２１０は、第１端末３００及び第２端末４００と通信する。通信方法は、有線、無線いずれであってもよい。通信部２１０と第２端末４００との通信は、Ｗｉ−Ｆｉ、Ｂｅａｃｏｎ、ＬＴＥ（Ｌｏｎｇ  Ｔｅｒｍ  Ｅｖｏｌｕｔｉｏｎ）等の無線が好ましい。第１端末３００及び第２端末４００は、複数あってもよい。
【００８４】
記憶部２２０は、仮想オブジェクトＶを記憶（保存）する。つまり、パソコン等の第１端末３００の利用者は、第１端末３００で作成された仮想オブジェクトＶを、第１通信部３１０を介して、第１クラウドサーバ２００の記憶部２２０に仮想オブジェクトＶを保存することができる。なお、本実施形態における仮想オブジェクトＶは、家、マンション等の建築物（仮想建築物Ｂ）である。
【００８５】
（第１端末３００）
端末である第１端末３００は、第１クラウドサーバ２００にアクセスするため、インターネットにアクセスするための通信機能である第１通信部３１０と、
仮想オブジェクトＶを作成する作成部３２０と、
仮想オブジェクトＶを記憶する第１記憶部３３０と、
仮想オブジェクトＶを表示する第１表示部３４０と、を含む。
【００８６】
第１端末３００の例としては、パソコン、スマートフォン（携帯電話）、タブレット等が挙げられる。
【００８７】
第１通信部３１０は、インターネットをするための通信を行うところである。第１通信部３１０により、第１端末３００は、第１クラウドサーバ２００にアクセスすることができる。
【００８８】
なお、第１通信部３１０では、Ｗｉ−Ｆｉ等の無線ＬＡＮ又は有線ＬＡＮ等でインターネットにアクセスすることも含まれる。
【００８９】
作成部３２０では、第１端末３００の利用者によって、仮想オブジェクトＶが作成される。本実施形態における仮想オブジェクトＶは、家、マンション、ビル等の仮想建築物Ｂである。
【００９０】
作成部３２０には、３Ｄキャド等のソフトウェアも含まれる。したがって、第１端末３００の利用者が、第１端末３００の作成部３２０で仮想建築物Ｂ等の仮想オブジェクトＶを作成する。
【００９１】
第１記憶部３３０では、作成部３２０で作成された仮想オブジェクトＶが記憶される。したがって、第１端末３００の利用者は、第１端末３００の作成部３２０で作成された仮想建築物Ｂ等の仮想オブジェクトＶを、第１記憶部３３０に保存する。
【００９２】
第１記憶部３３０では、複数の仮想オブジェクトＶが記憶可能である。なお、作成部３２０で作成された仮想オブジェクトＶを第１記憶部３３０で記憶せずに、直接第１クラウドサーバ２００の記憶部２２０に記憶されてもよい。
【００９３】
つまり、第１端末３００の作業者は、仮想オブジェクトＶを第１端末３００の第１記憶部３３０に保存したが、第１記憶部３３０に保存せずに、直接、第１クラウドサーバ２００にアップロードし、第１クラウドサーバ２００に保存してもよい。
【００９４】
第１表示部３４０では、作成部３２０で作成された仮想オブジェクトＶが表示される。また、第１表示部３４０では、第１クラウドサーバ２００にアップロードされた仮想オブジェクトＶを表示させることができる。
【００９５】
（第２端末４００）
端末である第２端末４００は、インターネットにアクセスするための通信機能である第２通信部４１０と、
撮像することが可能な撮像部４２０と、
第１クラウドサーバ２００の第１記憶部２２０に記憶された仮想オブジェクトＶを第２端末４００に表示させる表示処理部である第１表示処理部４３０と、
第１表示処理部４３０を起動させるためのアプリケーションである第１アプリ４４０と、
仮想オブジェクトＶ、画像及び動画等を記憶することが可能な第２記憶部４５０と、
第１クラウドサーバ２００に保存されている仮想オブジェクトＶが表示される表示部である第２表示部４６０と、を含む。
【００９６】
第２端末４００の例は、スマートフォン、ノートパソコン、タブレット等が挙げられる。
【００９７】
第２通信部４１０は、インターネットにアクセスするための通信を行うところである。第２通信部４１０により、第２端末４００は、第１クラウドサーバ２００にアクセスすることができる。
【００９８】
撮像部４２０は、撮像することができるところである。例としては、第２端末４００がスマートフォンやタブレットの場合、それに備え付けられているのカメラが挙げられる。
【００９９】
撮像部４２０では、画像や動画を撮ることができる。撮像部４２０を起動するためのアイコン（図示しない）が第２表示部４６０に表示されている。当該アイコンが選択されることにより、撮像部４２０が起動する。
【０１００】
なお、第２端末４００の利用者は、撮像部４２０が起動している状態でも、第１アプリ４４０を起動させることができる。
【０１０１】
本実施形態では、第２端末４００に撮像部４２０が含まれているが、撮像部４２０が外部装置であってもよい。つまり、スマートフォン等の第２端末４００に対して、ケーブル等で撮像部４２０であるカメラが取り付けられる構成であってもよい。
【０１０２】
第１表示処理部４３０は、タブレット等の第２端末４００の第２表示部４６０に仮想オブジェクトＶを表示させる。つまり、第２端末４００の利用者が、第２通信部４１０を介して第１クラウドサーバ２００にアクセスすることにより、第２端末４００の第２表示部４６０に、仮想オブジェクトＶが表示される。
【０１０３】
具体的には、第２端末４００の第１アプリ４４０が起動されることにより、第１表示処理部４３０が作動する。第１表示処理部４３０の作動内容に関しては後述する。
【０１０４】
第１アプリ４４０は、第１表示処理部４３０を起動させるためのアプリケーションソフトである。第１アプリ４４０が第２端末４００にダウンロードされることにより、第１表示処理部４３０が第２端末４００にダウンロードされる。第１アプリ４４０は、第１クラウドサーバ２００からダウンロードすることができる。
【０１０５】
また、第１アプリ４４０が第２端末４００にダウンロードされることにより、第２端末４００の第２表示部４６０である画面上に、第１アプリ４４０のアイコン（図示しない）が表示される。
【０１０６】
本実施形態では、第１アプリ４４０のアイコン（図示せず）が第２端末４００の第２表示部４６０に表示されている。第２端末４００の利用者は、第１アプリ４４０のアイコンを選択することにより、第１アプリ４４０が起動する。
【０１０７】
そして、第１アプリ４４０が起動することにより、第１表示処理部４３０が起動する。第１表示処理部４３０が起動することにより、第２端末４００は、第２通信部４１０を介して、第１クラウドサーバ２００にアクセスし、仮想オブジェクトＶが第２表示部４６０に表示可能となる。
【０１０８】
また、本実施形態では、第１アプリ４４０のアイコン（図示せず）が選択された場合、第１アプリ４４０が起動し、それに伴って撮像部４２０が起動する。
【０１０９】
具体的には、第１アプリ４４０が起動すると第１表示処理部４３０が起動する。そして、第１アプリ４４０は、撮像部４２０を起動させる。なお、第１表示処理部４３０が、第２端末４００の撮像部４２０を起動させてもよい。
【０１１０】
言い換えると、第２端末４００の利用者は、第１アプリ４４０を起動させると、撮像部４２０が起動する。そして、第２端末４００の利用者は、例えば、第２端末４００がスマートフォンやタブレットの場合、当該利用者の所有する土地を撮像部４２０であるカメラで撮像することにより、当該利用者が建設を考えている仮想オブジェクトＶである仮想建築物Ｂを、第２表示部４６０であるディスプレイに表示させることができる。
【０１１１】
第２記憶部４５０は、仮想オブジェクトＶ、画像及び動画等を記憶（保存）することができるところである。例えば、撮像部４２０で撮像した画像や動画を第２記憶部４５０に保存することができる。
【０１１２】
なお、第１クラウドサーバ２００の記憶部２２０に保存（記憶）されている仮想オブジェクトＶは、第２記憶部４５０に記憶されてもよい。
【０１１３】
（第１表示処理部４３０）
第１表示処理部４３０は、第２端末４００の第１アプリ４４０を起動させることにより起動する。
【０１１４】
図１に示すように、第１表示処理部４３０は、第２端末４００の第２表示部４６０に仮想オブジェクトＶを表示させる位置を決定する位置決定部である第１位置決定部４３１と、
第１位置決定部４３１によって決定された位置に仮想オブジェクトＶを表示させる重畳表示部である第１重畳表示部４３２と、を含む。
【０１１５】
第１位置決定部４３１は、仮想オブジェクトＶを配置させるための座標認識手段を有する。
【０１１６】
図２に示すように、第１位置決定部４３１は、タブレット等の第２端末４００の第２表示部４６０に、仮想オブジェクトＶを配置させる位置を決定するためのターゲットエリア４３１ａを表示させる。
【０１１７】
具体的には、図３に示すように、第１位置決定部４３１は、スマートフォン、タブレット等の第２端末４００と、目標物Ｔ（本実施形態では所定の土地）との間に投影面Ｐを想定して、第２表示部４６０上の目標物Ｔ（本実施形態では所定の土地）の座標を算出する。
【０１１８】
投影面Ｐは、タブレット等の第２端末４００の第２表示部４６０と対応しており、投影面Ｐ上の目標物Ｔ（本実施形態では所定の土地）が第２表示部４６０に表示される。
【０１１９】
より具体的には、第１位置決定部４３１は、撮像部４２０により第２表示部４６０に表示される画像をもとに、目標物Ｔの位置（ｘａ，ｙｂ，ｚｃ）、第２端末４００から目標物Ｔまでの距離ｄ、投影面までの距離ｅの関係を用いて、投影面上のターゲットエリア４３１ａの座標を算出する。
【０１２０】
本実施形態では、目標物Ｔは所定の土地であるため、例えば図３に示すような４点（ｘａ１，ｙｂ１，ｚｃ１）（ｘａ２，ｙｂ２，ｚｃ２）（ｘａ３，ｙｂ３，ｚｃ３）（ｘａ４，ｙｂ４，ｚｃ４）でターゲットエリア４３１ａの座標を算出する。
【０１２１】
ターゲットエリア４３１ａの座標は、タブレット等の第２端末４００の位置を基準に算出される。タブレット等の第２端末４００の姿勢は、第２端末４００が有する加速度センサ及び地磁気センサの値を解析することにより求められる。
【０１２２】
なお、タブレット等の第２端末４００の位置は、既存の位置推定技術を用いて推定されてもよい。例えば、第２端末４００の位置が、ＧＰＳ機能により判断されてもよい。
【０１２３】
また、本実施形態では、ターゲットエリア４３１ａを表示させて、そのターゲットエリア４３１ａ上に仮想オブジェクトＶを表示させているが、ターゲットエリア４３１ａを表示させずに、仮想オブジェクトＶを第２端末４００に表示させるものであってもよい。
【０１２４】
本実施形態では、第１位置決定部４３１は、水平機能を有している。このようなものであれば、ターゲットエリア４３１ａが水平に配置される。つまり、仮想オブジェクトＶが水平に重畳される。なお、第１位置決定部４３１が水平機能を有していないものであってもよい。
【０１２５】
本実施形態では、ターゲットエリア４３１ａは枠線であり、形状は仮想オブジェクトＶによって異なる。ターゲットエリア４３１ａと目標物Ｔの形状は同一でなくてもよい。
【０１２６】
本実施形態では、仮想オブジェクトＶである仮想建築物Ｂを第２表示部４６０に表示させるためのターゲットエリア４３１ａである。そのため、ターゲットエリア４３１ａは、仮想建築物Ｂを建設したい土地（目標物Ｔ）が、第２表示部４６０にどのように表示されるかによって形状が異なる。
【０１２７】
つまり、タブレット等の第２端末４００の姿勢によって、ターゲットエリア４３１ａの形状が異なる。そして、そのターゲットエリア４３１ａの形状に合わせて仮想建築物Ｂの姿勢が決定し、仮想建築物Ｂが第２表示部４６０に表示される。
【０１２８】
第２表示部４６０に表示されている第１アプリ４４０が起動した場合、撮像部４２０が起動する。
【０１２９】
そして、その場合、第２表示部４６０上には、配置ボタン４４１と、リセットボタン４４２と、左右ボタン４４３と、上下ボタン４４４と、前後ボタン４４５と、カメラボタン４４６と、ライブラリボタン４４７と、写真ボタン４４８と、設定ボタン４４９と、が表示される。
【０１３０】
なお、各ボタンの第２表示部４６０上の配置や形状はどのようなものであってもよく、特に限定されない。
【０１３１】
配置ボタン４４１は、仮想オブジェクトＶを第２表示部４６０上に表示させるためのボタンである。
【０１３２】
第２端末４００の利用者は、第２表示部４６０上の配置ボタン４４１を選択することにより、仮想オブジェクトＶが第２表示部４６０に表示される。したがって、第２端末４００の利用者は、仮想建築物Ｂをターゲットエリア４３１ａ上に表示させることができる。
【０１３３】
リセットボタン４４２は、配置ボタン４４１により第２表示部４６０に表示された仮想オブジェクトＶを第２表示部４６０から消すためのボタンである。
【０１３４】
第２端末４００の利用者は、第２表示部４６０上のリセットボタン４４２を選択することにより、仮想オブジェクトＶを第２表示部４６０から消すことができる。
【０１３５】
左右ボタン４４３、上下ボタン４４４及び前後ボタン４４５は、第２表示部４６０に表示されてるターゲットエリア４３１ａの位置や大きさを調整するためのボタンである。
【０１３６】
つまり、ターゲットエリア４３１ａは、第２端末４００の利用者が第２表示部４６０に表示される左右ボタン４４３、上下ボタン４４４、及び、前後ボタン４４５を選択することにより、ターゲットエリア４３１ａの位置や大きさが変更される。
【０１３７】
なお、第２端末４００の利用者が第２表示部４６０に表示されているターゲットエリア４３１ａを指で触れることにより、ターゲットエリア４３１ａの位置や大きさが変更されるものであってもよい。
【０１３８】
カメラボタン４４６は、第２表示部４６０で表示されている画像の写真を撮るボタンである。
【０１３９】
これにより仮想オブジェクトＶが表示された第２表示部４６０の画像が第２記憶部４５０に記憶される。
【０１４０】
ライブラリボタン４４７は、第２記憶部４５０に保存（記憶）されている仮想オブジェクトＶを第２表示部４６０に表示させるためのものである。ライブラリボタン４４７が選択されることにより、保存（記憶）されている仮想オブジェクトＶが第２表示部４６０に表示される。
【０１４１】
ライブラリボタン４４７が選択されると、コード入力欄が第２表示部４６０に表示される。このコード入力欄に予め定められた画像コードや仮想オブジェクトＶのコードが入力されることにより、第２記憶部４５０に保存（記憶）されていない画像や仮想オブジェクトＶが第２表示部４６０に表示される。
【０１４２】
これにより、第２端末４００の利用者は、使用している第２端末４００以外の第２端末４００を用いて、仮想オブジェクトＶをその第２端末４００の第２表示部４６０に表示させることができる。
【０１４３】
写真ボタン４４８は、第２記憶部４５０に保存（記憶）されている、カメラボタン４４６によって撮られた画像を見るためのものである。写真ボタン４４８が選択されることにより、カメラボタン４４６によって撮られた画像が第２表示部４６０に表示される。
【０１４４】
設定ボタン４４９は、第１アプリ４４０の設定を変更するためのボタンである。
【０１４５】
図４に示すように、第１重畳表示部４３２は、第２端末４００の第２表示部４６０に仮想オブジェクトＶを重畳表示させる。
【０１４６】
本実施形態では、第１重畳表示部４３２は、ターゲットエリア４３１ａと、仮想建築物Ｂの底面とを合わせるように、仮想建築物Ｂを第２表示部４６０に重畳表示させる。
【０１４７】
これにより、第２端末４００の位置が変わった場合、その角度に合わせた仮想建築物Ｂが第２表示部４６０に表示される。
【０１４８】
つまり、第２端末４００の利用者は、目標物Ｔである土地をいずれの角度から見ても、その角度に合わせた仮想建築物Ｂを、第２表示部４６０で見ることができる。
【０１４９】
また、第２端末４００が仮想建築物Ｂ側に近づいた場合、第２表示部４６０に表示される仮想建築物Ｂは、周りの実在する建築物と同様に、第２表示部４６０に大きく表示される。
【０１５０】
第２端末４００が仮想建築物Ｂ側から離れた場合、第２表示部４６０に表示される仮想建築物Ｂは、周りの実在する建築物と同様に、第２表示部４６０に小さく表示される。
【０１５１】
つまり、第２端末４００の利用者は、目標物Ｔに近づいた場合、第２表示部４６０に表示される仮想建築物Ｂは、周りの実在する建築物と同様に、大きく表示される。
【０１５２】
第２端末４００の利用者は、目標物Ｔから離れた場合、第２表示部４６０に表示される仮想建築物Ｂは、周りの実在する建築物と同様に、小さく表示される。
【０１５３】
このように仮想建築物Ｂが第２端末４００の第２表示部４６０に表示されれば、第２端末４００の利用者は、家を購入する前に、どのように家が配置されるのかよくわかる。
【０１５４】
図５に示すように、第２端末４００は、複数あってもよい。図５では、第２端末４００が、第２端末４００ａ、第２端末４００ｂ、第２端末４００ｃ、第２端末４００ｄと複数ある。なお、第２端末４００の数は限定されない。
【０１５５】
つまり、１以上の第２端末４００が第１クラウドサーバ２００にアクセスされてもよい。また、第１端末３００は複数であってもよい。
【０１５６】
＜第２実施形態＞
第２実施形態では、第１実施形態と同様の内容に関しては、省略して又は簡単に説明する。
【０１５７】
図６に示すように、本実施形態に係る表示システム１００は、サーバである第２クラウドサーバ２５０と、
第２クラウドサーバ２５０にアクセスすることが可能な端末である第１端末３００と、
第２クラウドサーバ２５０にアクセスすることが可能な端末である第２端末５００と、を含む。
【０１５８】
第２クラウドサーバ２５０は、第１クラウドサーバ２００と同様に、クラウド上に構築されたサーバであり、インターネットを通じてサーバ機能を利用することができるものである。
【０１５９】
第２クラウドサーバ２５０は、第１端末３００及び第２端末５００がインターネットで接続可能な通信部２１０と、
仮想オブジェクトＶを第２クラウドサーバ２５０内に記憶させる記憶部２２０と、
第１記憶部２２０に記憶された仮想オブジェクトＶを第２端末５００の第２表示部５５０に表示させる表示処理部である第２表示処理部２３０と、を含む。
【０１６０】
通信部２１０は、第１端末３００及び第２端末５００と通信する。通信部２１０は、第１実施形態と同様であるため詳細な説明は省略する。
【０１６１】
記憶部２２０は、仮想オブジェクトＶを記憶（保存）する。記憶部２２０は、第１実施形態と同様であるため詳細な説明は省略する。
【０１６２】
第２表示処理部２３０は、タブレット等の第２端末５００の第２表示部５５０に仮想オブジェクトＶを表示させる。つまり、第２端末５００の利用者が、第２通信部５１０を介して第２クラウドサーバ２５０にアクセスすることにより、第２端末５００の第２表示部５５０に、仮想オブジェクトＶが表示される。
【０１６３】
具体的には、第２端末５００の第２アプリ５３０が起動されることにより、第２表示処理部２３０が作動する。第２表示処理部２３０の作動内容は、第１表示処理部４３０と同様である。
【０１６４】
端末である第１端末３００は、第２クラウドサーバ２５０にアクセスするため、インターネットにアクセスするための通信機能である第１通信部３１０と、
仮想オブジェクトＶを作成する作成部３２０と、
仮想オブジェクトＶを記憶する第１記憶部３３０と、
仮想オブジェクトＶを表示する第１表示部３４０と、を含む。第１端末３００は、第１実施形態と同様であるため詳細な説明は省略する。
【０１６５】
（第２端末５００）
端末である第２端末５００は、インターネットにアクセスするための通信機能である第２通信部５１０と、
撮像することが可能な撮像部５２０と、
第２クラウドサーバ２５０の第２表示処理部２３０を起動させるためのアプリケーションである第２アプリ５３０と、
仮想オブジェクトＶ、画像及び動画等を記憶することが可能な第２記憶部５４０と、
第２クラウドサーバ２５０に保存されている仮想オブジェクトＶが表示される第２表示部５５０と、を含む。
【０１６６】
第２端末５００の例は、スマートフォン、ノートパソコン、タブレット等が挙げられる。
【０１６７】
第２通信部５１０は、インターネットにアクセスするための通信を行うところである。第２通信部５１０により、第２端末５００は、第２クラウドサーバ２５０にアクセスすることができる。
【０１６８】
撮像部５２０は、撮像することができるところである。撮像部５２０は、第１実施形態と同様であるため詳細な内容は省略する。
【０１６９】
第２アプリ５３０は、第２クラウドサーバ２５０の第２表示処理部２３０を起動させるためのアプリケーションソフトである。第２アプリ５３０が第２端末５００にダウンロードされることにより、第２端末５００の第２表示部５５０である画面上に、第２アプリ５３０のアイコン（図示しない）が表示される。
【０１７０】
本実施形態では、第２アプリ５３０のアイコン（図示せず）が第２端末５００の第２表示部５５０に表示されている。第２端末５００の利用者は、第２アプリ５３０のアイコンを選択することにより、第２アプリ５３０が起動する。そして、第２通信部５１０を介して、第２クラウドサーバ２５０にアクセスし、第２表示処理部２３０が起動する。
【０１７１】
また、本実施形態では、第２アプリ５３０のアイコン（図示せず）が選択された場合、第２アプリ５３０が起動し、それに伴って撮像部５２０が起動する。
【０１７２】
具体的には、第２アプリ５３０が起動すると第２表示処理部２３０が起動する。そして、第２アプリ５３０は、第２端末５００の撮像部５２０を起動させる。
【０１７３】
言い換えると、第２端末５００の利用者は、第２アプリ５３０を起動させると、撮像部５２０が起動する。そして、第２端末５００の利用者は、例えば、第２端末５００がスマートフォンやタブレットの場合、当該利用者の所有する土地を撮像部５２０であるカメラで撮像することにより、当該利用者が建設を考えている仮想オブジェクトＶである仮想建築物Ｂを、第２表示部５５０であるディスプレイに表示させることができる。
【０１７４】
第２記憶部５４０は、仮想オブジェクトＶ、画像及び動画等を記憶（保存）することができるところである。例えば、撮像部５２０で撮像した画像や動画を第２記憶部５４０に保存することができる。
【０１７５】
なお、第２クラウドサーバ２５０の記憶部２２０に保存（記憶）されている仮想オブジェクトＶは、第２記憶部５４０に記憶されてもよい。
【０１７６】
（第２表示処理部２３０）
上述したように、第２クラウドサーバ２５０は、第２表示処理部２３０を含む。そして、第２表示処理部２３０は、第２端末５００の第２アプリ５３０を起動させることにより起動する。
【０１７７】
図６に示すように、第２表示処理部２３０は、第２端末５００の第２表示部５５０に仮想オブジェクトＶを表示させる位置を決定する位置決定部である第２位置決定部２３１と、
第２位置決定部２３１によって決定された位置に仮想オブジェクトＶを表示させる重畳表示部である第２重畳表示部２３２と、を含む。
【０１７８】
第２位置決定部２３１は、仮想オブジェクトＶを配置させるための座標認識手段を有する。第２位置決定部２３１は、第１位置決定部４３１と同様であるため、詳細な説明は省略する。
【０１７９】
第２表示部５５０に表示されている第２アプリ５３０が起動した場合、撮像部４２０が起動する。そして、その場合、第２表示部５５０上には、第１表示部４６０と同様に、配置ボタン４４１と、リセットボタン４４２と、左右ボタン４４３と、上下ボタン４４４と、前後ボタン４４５と、カメラボタン４４６と、ライブラリボタン４４７と、写真ボタン４４８と、設定ボタン４４９と、が表示される。各種ボタンの説明は、第１実施形態と同様であるため省略する。
【０１８０】
図４に示すように、第２重畳表示部２３２は、第２端末５００の第２表示部５５０に仮想オブジェクトＶを重畳表示させる。
【０１８１】
本実施形態では、第２重畳表示部２３２は、ターゲットエリア４３１ａと、仮想建築物Ｂの底面とを合わせるように、仮想建築物Ｂを第２表示部５５０に重畳表示させる。
【０１８２】
これにより、第２端末５００の位置が変わった場合、その角度に合わせた仮想建築物Ｂが第２表示部５５０に表示される。
【０１８３】
つまり、第２端末５００の利用者は、目標物Ｔである土地をいずれの角度から見ても、その角度に合わせた仮想建築物Ｂを、第２表示部５５０で見ることができる。
【０１８４】
また、第２端末５００が仮想建築物Ｂ側に近づいた場合、第２表示部５５０に表示される仮想建築物Ｂは、周りの実在する建築物と同様に、第２表示部５５０に大きく表示される。
【０１８５】
第２端末５００が仮想建築物Ｂ側から離れた場合、第２表示部５５０に表示される仮想建築物Ｂは、周りの実在する建築物と同様に、第２表示部５５０に小さく表示される。
【０１８６】
つまり、第２端末５００の利用者は、目標物Ｔに近づいた場合、第２表示部５５０に表示される仮想建築物Ｂは、周りの実在する建築物と同様に、大きく表示される。
【０１８７】
第２端末５００の利用者は、目標物Ｔから離れた場合、第２表示部５５０に表示される仮想建築物Ｂは、周りの実在する建築物と同様に、小さく表示される。
【０１８８】
第２端末５００は、第１実施形態と同様に、複数あってもよい。なお、第２端末５００の数は限定されない。つまり、１以上の第２端末５００が第２クラウドサーバ２５０にアクセスされてもよい。
【０１８９】
＜第３実施形態＞
第３実施形態では、第１実施形態及び第２実施形態と同様の内容に関しては、省略して又は簡単に説明する。また、第３実施形態では、第１実施形態の表示システム１００を用いて説明する。
【０１９０】
図７に示すように、第３実施形態は、仮想オブジェクトＶか看板（仮想看板Ｎ）の場合である。この場合、目標物Ｔは、店舗等の建築物の外壁等である。
【０１９１】
そして、第１実施形態及び第２実施形態と同様に、第２表示部４５０に表示されたターゲットエリア４３１ａの大きさや位置が調整され、第１位置決定部４３１によってターゲットエリア４３１ａの位置が決定される。
【０１９２】
第２端末４００の利用者が配置ボタン４４１を選択することにより、第１位置決定部４３１によって決定されたターゲットエリア４３１ａ上に仮想看板Ｎが第２表示部４５０に表示される。
【０１９３】
つまり、配置ボタン４４１が選択されることにより、第１位置決定部４３１によって決定されたターゲットエリア４３１ａ上に仮想看板Ｎが第２表示部４５０に表示される。なお、ターゲットエリア４３１ａと目標物Ｔの形状は一致しなくてもよい。
【０１９４】
この場合、第２端末４００の利用者は、仮想看板Ｎの配置や大きさ、仮想看板Ｎと周りとの調和等の検討がし易い。
【０１９５】
（仮想オブジェクトＶの表示に係るフローチャート）
図８を用いて、表示システム１００の一例についてフローチャートで説明する。
【０１９６】
パソコン等の第１端末３００の作成部３２０を用いて、仮想オブジェクトＶが作成される（ステップＳ１１）。
【０１９７】
作成部３２０を用いて作成された仮想オブジェクトＶが、第１記憶部３３０に記憶される（ステップＳ１２）。
【０１９８】
第１端末３００の利用者は、作成された仮想オブジェクトＶを第１表示部３４０でどのように表示されるか確認することができる。
【０１９９】
作成された仮想オブジェクトＶは、第１通信部３１０及び通信部２１０を介して第１クラウドサーバ２００の記憶部２２０に記憶（保存）される（ステップＳ１３）。
【０２００】
第２端末４００の利用者が、第１アプリ４４０を起動させる。つまり、第１アプリ４４０が起動する（ステップＳ１４）。これに連動して、第２端末４００では撮像部４２０が起動する。
【０２０１】
また、第１アプリ４４０の起動に連動して、第１位置決定部４３１が起動し、第２表示部４６０にターゲットエリア４３１ａが表示される。
【０２０２】
第２端末４００の利用者は、第１アプリ４４０の起動に連動して起動した撮像部４２０により目標物Ｔを撮像する。つまり、第１アプリ４４０の起動に連動して起動した撮像部４２０により、目標物Ｔが撮像される（ステップＳ１５、撮像工程）。
【０２０３】
第２端末４００の利用者は、ターゲットエリア４３１ａを目標物Ｔに合わせる。つまり、第２表示部４６０でターゲットエリア４３１ａが、所定の目標物Ｔに合わせられる（ステップＳ１６、位置設定工程）。
【０２０４】
なお、本実施形態では、ターゲットエリア４３１ａは、仮想オブジェクトＶの形状と、タブレット等の第２端末４００の姿勢とにより形状が決定する。
【０２０５】
ターゲットエリア４３１ａは、自動的に目標物Ｔを認識するように設定されてもよく、第２端末４００の利用者の手動により、ターゲットエリア４３１ａが目標物Ｔに合わせられてもよい。
【０２０６】
また、本実施形態では、ターゲットエリア４３１ａは、第２表示部４５０に表示される仮想上のものであるが、実際に目標物Ｔにターゲットエリアを設けてもよい。
【０２０７】
第２端末４００の利用者は、ターゲットエリア４３１ａを目標物Ｔに合わせた状態で、配置ボタン４４１を選択する。つまり、ターゲットエリア４３１ａが目標物Ｔに合わせられた状態で、配置ボタン４４１が選択される（ステップＳ１７、重畳表示工程）。
【０２０８】
これにより、仮想オブジェクトＶが第２表示部４６０に表示される（ステップＳ１８、重畳表示工程）。
【０２０９】
例えば、仮想オブジェクトＶが仮想建築物Ｂであり、目標部Ｔが所定の土地の場合、タブレット等の第２端末４００の利用者は、ターゲットエリア４３１ａを目標物Ｔである土地に合わせ、配置ボタン４４１を選択することにより、仮想建築物Ｂが第２表示部４６０に表示される。
【０２１０】
（顧客把握システム６００）
本発明に係る顧客把握システム６００は、上述した表示システム１００を用いて、第２端末５００の使用者に対して広告をするシステムである。
【０２１１】
なお、本実施形態では、第１クラウドサーバ２００及び第２端末４００を用いて説明するが、第２クラウドサーバ２５０及び第２端末５００が用いられてもよい。また、クラウドサーバでなく、通常のサーバであってもよい。
【０２１２】
＜第４実施形態＞
図９に示すように、本実施形態に係る顧客把握システム６００は、サーバである第３クラウドサーバ７００と、
第３クラウドサーバ７００にアクセスすることが可能な端末である第１端末３００と、
第３クラウドサーバ７００にアクセスすることが可能な端末である第２端末４００と、を含む。
【０２１３】
第３クラウドサーバ７００は、第１端末３００及び第２端末４００がインターネットで接続可能な第３通信部７１０と、
第２端末５００の利用者の個人情報を記憶する第３記憶部７２０と、
第３記憶部７２０に記憶されている第２端末５００の利用者の個人情報を仕分けるする仕分け部７３０と、
第３記憶部７２０に記憶されている第２端末４００の利用者の個人情報に基づいて住まい等の地域や場所を特定する特定部７４０と、
第２端末４００の利用者に広告を発信する広告情報部７５０と、を含む。
【０２１４】
第３記憶部７２０は、第２端末４００の利用者の個人情報を記憶する。また、第３記憶部７２０は、広告情報部７５０が第２端末４００の利用者に発信する広告情報を記憶する。なお、第３記憶部７２０は、記憶部２２０と同一であってもよい。
【０２１５】
仕分け部７３０では、第３記憶部７２０に記憶されている第２端末４００の利用者の個人情報に基づいて、例えば住まい、家を新築するための予算、家族構成、建物の好み、ガレージの有無の希望、希望の広さ、住みたい場所又は地域等のキーワードによって仕分けされる。
【０２１６】
仕分け部７３０で用いられるキーワードは任意であり、また仕分けられた内容が重複していてもよい。
【０２１７】
特定部７４０は、第２端末４００の利用者の住所、第２端末４００から第１クラウドサーバ２００にアクセスした場所、第２端末４００で読み込まれた二次元バーコード等によって、第２端末４００の利用者の場所や地域を特定する。
【０２１８】
例えば、特定部７４０は、第２端末４００の利用者が第１アプリ４４０を第２端末４００にダウンロードする場合、第２端末４００の利用者が入力する個人情報によって、第２端末４００の利用者の場所等を特定する。
【０２１９】
つまり、第２端末４００の利用者が第１アプリ４４０をダウンロードしようとした場合、第２端末４００の利用者は、住所や名前等の個人情報を入力するため、その個人情報によって、特定部７４０は、第２端末４００の利用者の場所を特定する。
【０２２０】
第１端末３００の使用者は、第２端末４００の利用者がどの地域に住んでいて、どのような家を望んでいるか、どのような家族構成で、どの程度の予算を考えているか等の情報を入手することができる。
【０２２１】
そして、第１端末３００の使用者は、第２端末４００の利用者の数（アカウント数、アクセス数）や場所を把握することができ、その地域にあった広告を、第２端末４００の利用者に対してすることができる。
【０２２２】
なお、第２端末４００の利用者は、第１アプリ４４０をダウンロードする場合、又は、第１アプリ４４０を使用して第１クラウドサーバ２００にアクセスしようとする場合、住所や名前等の入力のかわりに、ＳＮＳのアカウントやＷｅｂサイトのアカウントを使用することができるようにしてもよい。
【０２２３】
また、別の例として、第２端末４００の利用者が第１アプリ４４０を使用して第１クラウドサーバ２００にアクセスする場合、そのログによって第２端末４００の大まかな使用地域（場所）がわかる。
【０２２４】
そして、そのログによって特定部７４０は、第２端末４００から第１クラウドサーバ２００にアクセスした場所をおおまかな特定する。また、特定部７４０は、第２端末４００から第１クラウドサーバ２００へのアクセス数又はアカウント数をカウントする。
【０２２５】
なお、「ログ」とは、コンピュータ上で行われた処理や操作の記録のことである。本実施形態では、アプリケーションログのことである。
【０２２６】
これにより、第１端末３００の使用者は、第２端末４００の利用者の数（アカウント数、アクセス数）や大まかな場所を把握することができ、その地域にあった広告を、第２端末４００の利用者に対してすることができる。
【０２２７】
また、別の例として、第１端末３００の使用者が、二次元バーコードが表示されたチラシを配布する場合、地域によってチラシに表示されている二次元バーコードを変更することにより、第２端末４００の利用者の場所が特定できる。
【０２２８】
具体的には、第２端末４００の利用者が、どの二次元バーコードから第１クラウドサーバ２００にアクセスしたかによって、第２端末４００の利用者の大まかな場所が特定される。チラシ以外にも例えばその地域に設置されている看板等に二次元バーコードが記載されていてもよい。                                                                                                                                                                                                                                                                                      
【０２２９】
このような場合であっても、第１端末３００の使用者は、第２端末４００の利用者の数（アカウント数、アクセス数）や大まかな場所を把握することができ、その地域にあった適切な広告を、第２端末４００の利用者に対してすることができる。
【０２３０】
なお、第２端末４００の利用者の場所は、地域等がわかる大まかな場所でかまわない。
【０２３１】
情報提供部７５０は、第２端末４００の利用者に対して、広告を送信するところである。
【０２３２】
本実施形態では、第１端末３００の使用者が、第２端末４００の利用者に対して広告をする。
【０２３３】
広告内容は、住宅の広告、保険の広告、自動車やバイク等の広告等どのようなものであってもよい。
【０２３４】
本実施形態では、情報提供部７５０は、第１アプリ４４０を通して第２端末４００の利用者に対して広告をする。なお、情報提供部７５０は、第２端末４００の利用者が第１アプリ４４０をダウンロードする際に登録されたメールアドレスに広告を送信してもよい。
【０２３５】
また、情報提供部７５０は、表示システム１００によって第２端末４００に仮想オブジェクトＶが表示されているときに、第２表示部４６０に広告を掲載するようにしてもよい。
【０２３６】
（表示システム１００を用いた顧客把握方法）
表示システム１００を用いた顧客把握方法の一実施形態を、図１０に示すフローチャートで説明する。表示システム１００は、第１クラウドサーバ２００及び第２端末４００を用いて説明する。
【０２３７】
本実施形態では、表示システム１００を用いた顧客把握方法であり、当該顧客把握方法を用いて第２端末４００の利用者に対して広告を提供する内容である。
【０２３８】
第１端末３００の使用者は、二次元バーコードが付されたチラシを地域ごとに配布する（ステップＳ２１）。配布方法は特に限定されない。
【０２３９】
当該二次元バーコードは、第１アプリ４４０をダウンロードするためのものである。当該二次元バーコードは、地域ごとに異なるバーコードになっている。
【０２４０】
第２端末４００の利用者は、当該二次元バーコードを第２端末４００で読み込み、第１アプリ４４０をダウンロードする（ステップＳ２２、インストール工程）。
【０２４１】
第２端末４００での二次元バーコードの読み込みは、第２端末４００の撮像部４２０が二次元バーコードを認識することにより行われる。
【０２４２】
第２端末４００の利用者は、第１アプリ４４０をダウンロード（インストール）するにあたり、自己の個人情報を入力する（ステップＳ２３、個人情報入力工程）。
【０２４３】
第２端末４００の利用者は、個人情報を入力しなくてもＳＮＳのアカウント等でも第１アプリ４４０をダウンロードすることができる。
【０２４４】
なお、個人情報の入力は、第１アプリ４４０のダウンロードの際に入力するものでなく、第１アプリ４４０を起動させるときに入力するものであってもよい。
【０２４５】
二次元バーコードは、配布される地域ごとに異なり、当該二次元バーコードから、ダウンロードした第２端末４００の利用者の大まかな場所が特定される（ステップＳ２４、特定工程）。
【０２４６】
第１端末３００の使用者は、第２端末４００の利用者に対して、アンケートに回答してもらうようにしてもよい。
【０２４７】
この場合、第２端末４００の利用者は、個人情報の入力の際に、家族構成、建物の好み、予算、住みたい場所又は地域、駐車場の有無等のアンケートに対する回答を入力する（ステップＳ２５、アンケート入力工程）。
【０２４８】
特定工程により特定された第２端末４００の利用者の場所、アンケート入力工程により入力された第２端末４００の利用者の家族構成、建物の好み、予算、住みたい場所又は地域、駐車場の有無等の情報に基づいて仕分けされる（ステップＳ２６、仕分け工程）。
【０２４９】
第１端末３００の使用者は、第２端末４００の利用者の個人情報等に基づいて、第２端末４００の利用者に対して広告をする（ステップＳ２７、情報提供工程）。
【０２５０】
第１端末３００の使用者は、第２端末４００の利用者のニーズに合った広告を提供することができ、効率的な広告を行うことができる。
【０２５１】
図１１に示すフローチャートによって、図１０に示すフローチャートとは異なる表示システム１００を用いた顧客把握方法を説明する。図１０の場合と同様に表示システム１００は、第１クラウドサーバ２００及び第２端末４００を用いて説明する。
【０２５２】
第２端末４００の利用者は、第１端末３００の使用者のＨＰ等のＷｅｂサイトにアクセスし、第１アプリ４４０をダウンロードする（ステップＳ３１、インストール工程）。
【０２５３】
第１端末３００の使用者のＨＰ以外に、例えば第１端末３００の使用者から委託を受けたＷｅｂサイトであってもよい。
【０２５４】
第２端末４００の利用者は、第１アプリ４４０をダウンロード（インストール）するにあたり、自己の個人情報を入力する（ステップＳ３２、個人情報入力工程）。
【０２５５】
第２端末４００の利用者は、個人情報を入力しなくてもＳＮＳのアカウント等でも第１アプリ４４０をダウンロードすることができる。
【０２５６】
なお、個人情報の入力は、第１アプリ４４０のダウンロードの際に入力するものでなく、第１アプリ４４０を起動させるときに入力するものであってもよい。
【０２５７】
第１端末３００の使用者は、第２端末４００にダウンロードされた第１アプリ４４０が起動されることによるログにより、第２端末４００の利用者のＩＰアドレスやログを出力した年月日、時間等の情報を得る（ステップＳ３３、特定工程）。
【０２５８】
したがって、第１端末３００の使用者は、第２端末４００の利用者の性別、年齢、住まいの地域（アクセスポイント）、アクセス数等の情報、つまり顧客情報を得ることができる。
【０２５９】
そのため、第１端末３００の使用者は、この情報に基づいてマーケティングを行うことができる。
【０２６０】
特定工程により特定された第２端末４００の利用者の場所等の情報に基づいて仕分けされる（ステップＳ３４、仕分け工程）。
【０２６１】
第１端末３００の使用者は、第２端末４００の利用者の個人情報等に基づいて、第２端末４００の利用者に対して広告をする（ステップＳ３５、情報提供工程）。
【０２６２】
第１端末３００の使用者は、第２端末４００の利用者のニーズに合った広告を提供することができ、効率的な広告を行うことができる。
【０２６３】
本発明は、その趣旨を逸脱しない範囲で種々の改良、修正、又は変形を加えた態様でも実施できる。
【符号の説明】
【０２６４】
１００…表示システム
２００…第１クラウドサーバ（サーバ）
２１０…通信部
２２０…記憶部
２３０…第２表示処理部（表示処理部）
２３１…第２位置決定部（位置決定部）
２５０…第２クラウドサーバ（サーバ）
４３１ａ…ターゲットエリア
２３２…第２重畳表示部（重畳表示部）
３００…第１端末（端末）
３１０…第１通信部
３２０…作成部
３３０…第１記憶部
３４０…第１表示部（表示部）
４００…第２端末（端末）
４１０…第２通信部
４２０…撮像部
４３０…第１表示処理部（表示処理部）
４３１…第１位置決定部（位置決定部）
４３２…第１重畳表示部（重畳表示部）
４４０…第１アプリ（アプリケーション）
４５０…第２記憶部
４６０…第２表示部（表示部）
５００…第２端末（端末）
５４０…第２アプリ（アプリケーション）
６００…顧客把握システム
７００…第３クラウドサーバ（サーバ）
７１０…第３通信部
７２０…第３記憶部（記憶部）
７３０…仕分け部
７４０…特定部
７５０…情報提供部
【図１】
2018195302.tif 000003
【図２】
2018195302.tif 000004
【図３】
2018195302.tif 000005
【図４】
2018195302.tif 000006
【図５】
2018195302.tif 000007
【図６】
2018195302.tif 000008
【図７】
2018195302.tif 000009
【図８】
2018195302.tif 000010
【図９】
2018195302.tif 000011
【図１０】
2018195302.tif 000012
【図１１】
2018195302.tif 000013